(57)【要約】【課題】管理対象装置の動作を使用可能期間だけ許可する低コストで効率的な実行規制システムおよび方法を実現する。【解決手段】管理対象装置２の動作を使用可能期間だけ許可する実行規制システム１は、乱数情報に基づいてコードを生成するコード生成手段１２と、コード生成手段１２により生成されたコードを記憶する記憶手段１３と、コード生成手段１２により生成されたコードと管理対象装置２の使用可能期間に関する情報とに基づいてパスワードを生成するパスワード生成手段２１と、入力パスワードをデコードしてコードと使用可能期間に関する情報とを抽出するデコード手段１４と、デコード手段１４により抽出されたコードと記憶手段１３に記憶されたコードとを照合する照合手段１５と、照合の結果、コードが一致すると判定された場合、管理対象装置２の動作を使用可能期間だけ許可し、記憶手段１３に記憶されたコードを消去する動作許可手段１６とを備える。【選択図】図１
2014078201.tif 000002
【特許請求の範囲】
【請求項１】
管理装置により管理対象装置の動作を使用可能期間だけ許可する実行規制システムであって、
前記管理装置は、パスワード発行要求があったときに、使用可能期間情報に関するパスワードを生成するパスワード生成手段を有し、
前記管理対象装置は、コード発行要求ごとにコードを生成するコード生成手段と、前記コード生成手段により生成されたコードを記憶する記憶手段と、入力されたパスワードをデコードしてコードと前記使用可能期間情報とを抽出するデコード手段と、前記デコード手段により抽出されたコードと前記記憶手段に記憶されたコードとを照合する照合手段と、前記デコード手段により抽出されたコードと前記記憶手段に記憶されたコードとが一致すると前記照合手段により判定された場合、前記管理対象装置の動作を、前記デコード手段により抽出された前記使用可能期間情報に規定された使用可能期間だけ許可する動作許可手段と、を有し、
前記パスワード生成手段は、前記パスワード発行要求があったときに、前記コード生成手段により生成されたコードと前記使用可能期間情報とに基づいてパスワードを生成することを特徴とする実行規制システム。
【請求項２】
前記動作許可手段は、前記デコード手段により抽出されたコードと前記記憶手段に記憶されたコードとが一致しないと前記照合手段により判定された場合、前記管理対象装置の動作を許可しない請求項１に記載の実行規制システム。
【請求項３】
前記動作許可手段は、前記デコード手段により抽出されたコードと前記記憶手段に記憶されたコードとが一致すると前記照合手段により判定された場合、前記記憶手段に記憶されたコードを消去する請求項１または２に記載の実行規制システム。
【請求項４】
前記記憶手段に、前記管理対象装置の機種情報が予め記憶され、
前記パスワード生成手段は、前記コード生成手段により生成されたコードと前記使用可能期間情報と前記機種情報とに基づきパスワードを生成し、
前記デコード手段は、入力されたパスワードをデコードして前記コード生成手段により生成されたコードと前記使用可能期間情報と前記機種情報とを抽出し、
前記照合手段は、前記デコード手段により抽出されたコードと前記記憶手段に記憶されたコードとを照合するとともに、前記デコード手段により抽出された機種情報と前記記憶手段に予め記憶されていた機種情報とを照合し、
前記動作許可手段は、前記デコード手段により抽出されたコードと前記記憶手段に記憶されたコードとが一致するとともに前記デコード手段により抽出された機種情報と前記記憶手段に予め記憶されていた機種情報とが一致すると前記照合手段により判定された場合、前記管理対象装置の動作を、前記デコード手段により抽出された前記使用可能期間情報に規定された使用可能期間だけ許可する請求項１〜３のいずれか一項に記載の実行規制システム。
【請求項５】
前記動作許可手段は、前記デコード手段により抽出されたコードと前記記憶手段に記憶されたコードとが一致しないか、または前記デコード手段により抽出された機種情報と前記記憶手段に予め記憶されていた機種情報とが一致しないと前記照合手段により判定された場合、前記管理対象装置の動作を許可しない請求項１〜４のいずれか一項に記載の実行規制システム。
【請求項６】
前記管理対象装置は、前記コード生成手段により生成されたコードを表示するディスプレイ手段を備える請求項１〜５のいずれか一項に記載の実行規制システム。
【請求項７】
前記管理対象装置は、工作機械である請求項１〜６のいずれか一項に記載の実行規制システム。
【請求項８】
管理装置により管理対象装置の動作を使用可能期間だけ許可する実行規制方法であって、
管理対象装置において、乱数情報に基づいてコードを生成するコード生成ステップと、
管理装置において、入力された前記コードと使用可能期間情報とに基づいてパスワードを生成するパスワード生成ステップと、
管理対象装置において、入力されたパスワードをデコードして前記コードと前記使用可能期間情報とを抽出するデコードステップと、
管理対象装置において、前記コード生成ステップにおいて生成されたコードと前記デコードステップにおいて抽出されたコードとを照合する照合ステップと、
管理対象装置において、前記コード生成ステップにおいて生成されたコードと前記デコードステップにおいて抽出されたコードとが前記照合ステップにおいて一致すると判定された場合、管理対象装置の動作を、前記デコードステップにおいて抽出された前記使用可能期間情報に規定された使用可能期間だけ許可する動作許可ステップと、
を備えることを特徴とする実行規制方法。
【発明の詳細な説明】
【技術分野】
【０００１】
本発明は、管理対象装置の動作を使用可能期間だけ許可する実行規制システムおよび実行規制方法に関する。
【背景技術】
【０００２】
工作機械は高価であることから、ユーザは工作機械を分割払いで購入することがある。分割払いの場合でも、一括払いの場合同様、工作機械自体はユーザの工場に納入、設置されるので、工作機械のディーラ（販売代理店）からみれば、ユーザから分割支払い代金を確実に回収し、代金未払いの状態で工作機械が使用される状況を回避することが重要な課題である。
【０００３】
遅滞のない決済を可能にする作業機械の管理装置および方法として、作業機械の購入契約時に設定された支払期日を作業機械に記憶し、上記作業機械の始動時に現在時刻が上記作業機械に記憶されている支払期日を経過しているかどうかを判断手段によって判断し、現在時刻が支払期日を経過していると判断されたときにのみ稼働停止手段によって上記作業機械の稼働を不可にする技術が提案されている（例えば、特許文献１参照。）。
【０００４】
また、パスワードを用いた製品の販売システムとして、利用者が購入意思決定する前に試用期間を設け、その試用期間の経過後に利用者が製品を購入するか否かを決定することができる情報処理装置等の製品の販売システムが提案されている（例えば、特許文献２参照。）。
【０００５】
また、多種のオプション機能を内蔵して、出荷時にはオプション機能を動作させないように設定されているデジタル機器において、ライセンスキーによりオプション機能の起動を管理する技術が提案されている（例えば、特許文献３参照。）。
【０００６】
また、ネットワークに接続され、複写機、ファクシミリおよびプリンタとしての機能を有するデジタル複合機において、その機能拡張を拡張キーにより管理する画像処理装置およびその管理システムが提案されている（例えば、特許文献４参照。）。
【０００７】
また、利用が制限された機能を有する情報処理装置において、情報処理装置に接続された情報記憶装置に保持された機能拡張のための情報と機能拡張可能数の情報に基づいて、制限された機能を解除するかどうかを判断する手段を有する情報処理装置が提案されている（例えば、特許文献５参照。）。
【先行技術文献】
【特許文献】
【０００８】
【特許文献１】特開２００４−２２７２４９号公報
【特許文献２】特許第３８７４６０２号公報
【特許文献３】特許第３８７３６８８号公報
【特許文献４】特開２００１−３０９０９９号公報
【特許文献５】特開２００６−２０２０１７号公報
【発明の概要】
【発明が解決しようとする課題】
【０００９】
本発明の目的は、管理対象装置に対してパスワードを発行し、管理対象装置の動作を使用可能期間だけ許可する、パスワードの不正利用が容易でなくかつ低コストで効率的な実行規制システムおよび実行規制方法を提供することにある。
【課題を解決するための手段】
【００１０】
上記目的を実現するために、本発明においては、管理装置により管理対象装置の動作を使用可能期間だけ許可する実行規制システムにおいて、
管理装置は、パスワード発行要求があったときに、使用可能期間情報に関するパスワードを生成するパスワード生成手段を有し、
管理対象装置は、コード発行要求ごとにコードを生成するコード生成手段と、コード生成手段により生成されたコードを記憶する記憶手段と、入力されたパスワードをデコードしてコードと使用可能期間情報とを抽出するデコード手段と、デコード手段により抽出されたコードと記憶手段に記憶されたコードとを照合する照合手段と、デコード手段により抽出されたコードと記憶手段に記憶されたコードとが一致すると照合手段により判定された場合、管理対象装置の動作を、デコード手段により抽出された使用可能期間情報に規定された使用可能期間だけ許可する動作許可手段と、を有し、
パスワード生成手段は、パスワード発行要求があったときに、コード生成手段により生成されたコードと使用可能期間情報とに基づいてパスワードを生成する。
【００１１】
動作許可手段は、デコード手段により抽出されたコードと記憶手段に記憶されたコードとが一致しないと照合手段により判定された場合、管理対象装置の動作を許可しない。
【００１２】
ここで、動作許可手段は、デコード手段により抽出されたコードと記憶手段に記憶されたコードとが一致すると照合手段により判定された場合、記憶手段に記憶されたコードを消去するようにしてもよい。
【００１３】
記憶手段に、管理対象装置の機種情報が予め記憶され、パスワード生成手段は、コード生成手段により生成されたコードと使用可能期間情報と機種情報とに基づきパスワードを生成し、デコード手段は、入力されたパスワードをデコードしてコード生成手段により生成されたコードと使用可能期間情報と機種情報とを抽出し、照合手段は、デコード手段により抽出されたコードと記憶手段に記憶されたコードとを照合するとともに、デコード手段により抽出された機種情報と記憶手段に予め記憶されていた機種情報とを照合し、動作許可手段は、デコード手段により抽出されたコードと記憶手段に記憶されたコードとが一致するとともにデコード手段により抽出された機種情報と記憶手段に予め記憶されていた機種情報とが一致すると照合手段により判定された場合、管理対象装置の動作を、デコード手段により抽出された使用可能期間情報に規定された使用可能期間だけ許可するようにしてもよい。
【００１４】
動作許可手段は、デコード手段により抽出されたコードと記憶手段に記憶されたコードとが一致しないか、またはデコード手段により抽出された機種情報と記憶手段に予めされていた機種情報とが一致しないと照合手段により判定された場合、管理対象装置の動作を許可しない。
【００１５】
管理対象装置は、コード生成手段により生成されたコードを表示するディスプレイ手段を備えるようにしてもよい。
【００１６】
管理対象装置は、工作機械であってもよい。
【００１７】
また、管理装置により管理対象装置の動作を使用可能期間だけ許可する実行規制方法は、
管理対象装置において、乱数情報に基づいてコードを生成するコード生成ステップと、
管理装置において、入力されたコードと使用可能期間情報とに基づいてパスワードを生成するパスワード生成ステップと、
管理対象装置において、入力されたパスワードをデコードしてコードと使用可能期間情報とを抽出するデコードステップと、
管理対象装置において、コード生成ステップにおいて生成されたコードとデコードステップにおいて抽出されたコードとを照合する照合ステップと、
管理対象装置において、コード生成ステップにおいて生成されたコードとデコードステップにおいて抽出されたコードとが照合ステップにおいて一致すると判定された場合、管理対象装置の動作を、デコードステップにおいて抽出された使用可能期間情報に規定された使用可能期間だけ許可する動作許可ステップと、を備える。
【発明の効果】
【００１８】
本発明によれば、管理対象装置の動作を使用可能期間だけ許可する、低コストで効率的な実行規制システムおよび実行規制方法を実現することができる。例えば、管理対象装置を工作機械とした場合、工作機械のディーラは、ユーザから分割支払い代金の入金があったことを確認した上でユーザへパスワードを通知することによって、ユーザから分割支払い代金を確実に回収し、代金未払いの状態で工作機械が使用される状況を回避することができる。使用可能期間経過後はさらに分割支払い代金の支払いによりディーラから新たなるパスワードの発行を受けない限り、工作機械の動作が禁止されるので、ユーザは工作機械を使用することができない。パスワードは、パスワードの発行ごとに管理対象装置側で生成されるコードに応じて生成され、パスワードの変更ごとに管理対象装置側に保存されるコードと、管理装置側で発行され、管理対象装置側に入力されるパスワードをデコードして抽出されるコードとを照合し、これらコードが一致したときに、管理対象装置の動作が使用可能期間だけ許可されるため、前回使用のパスワードを再度使用する等のパスワードの不正利用は容易ではない。特に、一旦コードの一致が照合処理で確認されると、記憶手段に記憶されたコードが消去されるように構成されると、前回と同じパスワードを入力しても、デコード手段によって抽出されたコードと、記憶手段に記憶されたコードとが一致しないため、ユーザは工作機械を使用することができないので、代金未払いの工作機械の不正利用をより効果的に防止することができる。
【図面の簡単な説明】
【００１９】
【図１】本発明による実行規制システムの原理ブロック図である。
【図２】本発明による実行規制システムが適用されるユーザ工場とディーラとの関係を説明する図である。
【図３】本発明による実行規制システムの動作フローを示すフローチャートである。
【発明を実施するための形態】
【００２０】
以下、本発明による実行規制システムおよび実行規制方法の管理下におかれて使用可能期間だけ動作が許可される機械を「管理対象装置」と称する。管理対象装置には、例えば工作機械、建設機械、プリンタ、コピー機、コンピュータ、自動販売機、あるいは自動車など、装置の動作を制御する制御部を内部に有するあらゆる機器が含まれる。
【００２１】
図１は、本発明による実行規制システムの原理ブロック図である。また、図２は、本発明による実行規制システムが適用されるユーザ工場とディーラとの関係を説明する図である。
【００２２】
図２に示すように、管理装置により管理対象装置の動作を使用可能期間だけ許可する実行規制システム１が適用される一例として、ユーザ工場に工作機械などの管理対象装置２が設置され、ディーラ（販売店）側にパスワード発行のための管理装置としてパソコン３が設置される場合を考える。使用可能期間は、例えば年単位、月単位、日単位、あるいは時間単位で設定される。
【００２３】
図１に示すように、本発明による実行規制システム１は、乱数生成手段１１と、コード生成手段１２と、記憶手段１３と、パスワード生成手段２１と、デコード手段１４と、照合手段１５と、動作許可手段１６と、ディスプレイ手段１７と、を備える。このうち、乱数生成手段１１、コード生成手段１２、記憶手段１３、デコード手段１４、照合手段１５、動作許可手段１６、およびディスプレイ手段１７は、ユーザ工場にある管理対象装置２に設けられる。また、パスワード生成手段２１は、管理対象装置２の使用の許可もしくは禁止を管理する管理装置であるディーラ（販売代理店）側のパソコン３に設けられる。なお、以下の例では、特に言及する場合を除き、ユーザ工場にある管理対象装置２とディーラ側のパソコン３との間がインターネット回線や電話回線等の電気通信回線で接続されず、独立している場合について説明する。
【００２４】
ここで、乱数生成手段１１、コード生成手段１２、記憶手段１３、デコード手段１４、照合手段１５、および動作許可手段１６については、管理対象装置２の動作を制御する制御部（数値制御部ＮＣ）内に予め組み込まれるのが好ましい。あるいはこの変形例として、従来よりある既存の管理対象装置２に、後付けの形式で取り付けできるようにしてもよく、この場合は、乱数生成手段１１、コード生成手段１２、記憶手段１３、デコード手段１４、照合手段１５、および動作許可手段１６を１つの筐体内に収めた装置として構成すれば使い勝手が向上する。組み込み式もしくは後付け式のいずれも場合も低コストで実現可能である。
【００２５】
コード生成手段１２は、ユーザによるコード発行要求があると、乱数生成手段１１による乱数発生に基づきコードを生成する。コードとして、乱数生成手段１１で発生した乱数情報をそのまま用いてもよいが、本実施形態では、現在の時刻（すなわちコード発行要求時の時刻）を示す時刻情報と管理対象装置２に固有のシリアル番号とに基づいた乱数発生により、コードを生成する。管理対象装置２に固有のシリアル番号は、例えば当該管理対象装置２の記憶手段１３に予め記憶しておく。
【００２６】
記憶手段１３は、コード生成手段１２により生成されたコードを記憶する。また、記憶手段１３には、管理対象装置２がどのような機種であるかを示す機種情報が予め記憶される。
【００２７】
ディスプレイ手段１７は、コード生成手段１２により生成されたコードをユーザが視認可能となるように表示する。なお、コード生成手段１２により生成されたコードをディスプレイ手段１７に表示させるのは、後述するように、生成されたコードをディーラに伝えるために当該コードを認識できるようにするためである。この代替例として、ディスプレイ手段１７に代えて、コードをユーザが視聴可能となるようなスピーカやイヤホンなどの音響機器を用いてもよい。また、変形例として、管理対象装置２内のコード生成手段１２とディーラ側のパソコン３内のパスワード生成手段２１との間をインターネット回線や電話回線等の電気通信回線を介して通信可能に接続し、コード生成手段１２によりコードが生成されると自動的に当該コードをパスワード生成手段２１へ送信するようにするようにしてもよく、この場合はディスプレイ手段１７を省略してもよい。
【００２８】
パスワード生成手段２１は、パスワード発行要求があったときに、コード生成手段１２により生成されたコードと、管理対象装置２の使用可能期間に関する情報（以下、単に「使用可能期間情報」と称する。）とに基づいて、所定のアルゴリズムに従ってパスワードを生成する。この変形例として、パスワード生成手段２１は、コード生成手段１２により生成されたコードおよび管理対象装置２の使用可能期間情報のみならず、管理対象装置２の機種情報をも用いてパスワードを生成してもよい。なお、パスワードを作成するために用いられるアルゴリズム自体は本発明を限定するものではない。
【００２９】
デコード手段１４は、入力されたパスワードを、パスワード生成に用いた上記所定のパスワード生成アルゴリズムに対応するデコードアルゴリズムに従ってデコードし、コードと使用可能期間情報とを抽出する。なお、上述のようにコード生成手段１２により生成されたコードと管理対象装置２の使用可能期間情報と機種情報とを用いてパスワードを生成する場合には、デコード手段１４によるデコードにより、コードと使用可能期間情報と機種情報とを抽出する。なお、パスワードをデコードするために用いられるアルゴリズム自体は本発明を限定するものではない。
【００３０】
照合手段１５は、デコード手段１４により抽出されたコードと記憶手段１３に記憶されたコードとを照合する。なお、上述のようにコード生成手段１２により生成されたコードと管理対象装置２の使用可能期間情報と管理対象装置２の機種情報とを用いてパスワードを生成する場合には、照合手段１５は、デコード手段１４により抽出されたコードと記憶手段１３に記憶されたコードとを照合するとともに、デコード手段１４により抽出された機種情報と記憶手段１３に予め記憶されていた管理対象装置２の機種情報とを照合する。
【００３１】
動作管理手段１６は、管理対象装置２の動作を制御する制御部（図示せず）に連動して設けられるものであり、当該制御部は、動作管理手段１６による動作許可指令および動作禁止指令に基づき、管理対象装置２の動作の実行もしくは不実行を制御する。動作許可指令には使用可能期間が規定されており、この使用可能期間の間だけ、管理対象装置２は動作する。
【００３２】
動作許可手段１６は、照合手段１５による照合の結果、デコード手段１４により抽出されたコードと記憶手段１３に記憶されたコードとが一致すると判定された場合、管理対象装置２の動作を使用可能期間だけ許可する動作許可指令を発するとともに、記憶手段１３に対してコード削除指令を発して記憶手段１３に記憶されたコードを消去する。照合の結果コードが一致した場合に記憶手段１３に記憶されたコードを消去することで、パスワードが何度も使われるといったような不正利用を回避することができる。照合手段１５による照合の結果、デコード手段１４により抽出されたコードと記憶手段１３に記憶されたコードとが一致しないと判定された場合、動作許可手段１６は、管理対象装置２の動作を禁止する動作禁止指令を発し、また、記憶手段１３に記憶されたコードの消去は行わない。なお、上述のようにコード生成手段１２により生成されたコードと管理対象装置２の使用可能期間情報と管理対象装置２の機種情報とを用いてパスワードを生成する場合には、照合手段１５による照合の結果、デコード手段１４により抽出されたコードと記憶手段１３に記憶されたコードとが一致しかつデコード手段１４により抽出された機種情報と記憶手段１３に予め記憶されていた管理対象装置２の機種情報とが一致すると判定された場合、管理対象装置２の動作を使用可能期間だけ許可する動作許可指令を発するとともに、記憶手段１３に対してコード削除指令を発して記憶手段１３に記憶されたコードを消去する。この場合、照合手段１５による照合の結果、コードもしくは機種情報の少なくとも１つが一致しないと判定された場合、動作許可手段１６は、管理対象装置２の動作を禁止する動作禁止指令を発し、また、記憶手段１３に記憶されたコードの消去は行わない。
【００３３】
続いて、ユーザが管理対象装置２を分割払いで購入し、分割支払い代金の支払いごとに管理対象装置２の使用が使用可能期間だけ可能となる場合における実行規制システム１の動作フローについて、図３を参照して説明する。図３は、本発明による実行規制システムの動作フローを示すフローチャートである。ここでは一例として、コード生成手段１２によるコード生成に時刻情報とシリアル番号とに基づいて生成された乱数情報が用いられ、パスワード生成手段２１によるパスワード生成にコードと使用可能期間情報と機種情報とが用いられる場合について説明する。
【００３４】
ユーザは、管理対象装置２の分割支払い代金の支払い期日を近づいたとき、ユーザ工場内に設けられた管理対象装置２におけるコード生成手段１２に対してコード発行要求を入力する（ステップＳ１０１）。入力操作には、管理対象装置２に予め設けられたあるいは後付けで設けられたスイッチ、キーボードあるいはマウスなどの入力装置（図示せず）を用いる。なお、ユーザは、後述するステップＳ１０６におけるパスワードの生成および通知を受けるまでに分割代金の支払いを済ませておくのが好ましい。
【００３５】
コード発行要求があると、ステップＳ１０２において、コード生成手段１２は、管理対象装置２に内蔵された時計（図示せず）からコード発行要求時（すなわちコード作成時）の時刻を示す時刻情報を取得し、管理対象装置２に固有のシリアル番号を記憶手段１３から取得し、時刻情報と管理対象装置２に固有のシリアル番号とに基づいて乱数生成手段１１によって乱数を発生され、この乱数に基づきコードを生成する。本実施形態において、コード生成手段１２は、乱数生成手段１１によって発生した乱数をコードとするように構成されている。
【００３６】
次いで、ステップＳ１０３において、コード生成手段１２により生成されたコードが記憶手段１３に記憶される。
【００３７】
ステップＳ１０４では、コード生成手段１２により生成されたコードがディスプレイ手段１７に表示される。
【００３８】
ディスプレイ手段１７を介してコードを認識したユーザは、当該コードと管理対象装置２の機種情報をディーラに通知する。その際、管理対象装置２の分割支払い代金の金額に応じて使用可能期間が変わる場合には、ユーザ所望の使用可能期間をディーラに通知してもよい。通知の手段としては電話や電子メールなどがある。なお、上述のように管理対象装置２内のコード生成手段１２とディーラ側のパソコン３内のパスワード生成手段２１との間を通信可能に接続する場合には、コード生成手段１２によりコードが生成されると自動的に当該コードや機種情報、使用可能期間等をパスワード生成手段２１へ送信することができる。
【００３９】
ステップＳ１０５では、ディーラは、ユーザから通知を受けたコードを、パソコン３に入力する。また、使用可能期間および機種情報についてユーザから通知を受けた場合には使用可能期間および機種情報についてもパソコン３に入力する。入力操作には、パソコン３に接続されたキーボードやマウスなどの入力装置（図示せず）を用いる。なお、上述のように管理対象装置２内のコード生成手段１２とディーラ側のパソコン３内のパスワード生成手段２１との間を通信可能に接続する場合には、ステップＳ１０５におけるディーラの操作は省略できる。コードをパソコン３に入力した後、ディーラは、パスワード生成手段２１に対してパスワード発行要求を入力する。入力操作には、管理対象装置２に予め設けられたあるいは後付けで設けられたスイッチ、キーボードあるいはマウスなどの入力装置（図示せず）を用いる。
【００４０】
ステップＳ１０６において、パスワード生成手段２１は、パスワード発行要求があったとき、ユーザから通知されたコード（すなわちコード生成手段１２により生成されたコード）と管理対象装置２の使用可能期間情報と管理対象装置２の機種情報とを用いてパスワードを生成する。ディーラは、パスワード生成手段２１が生成したパスワードをユーザに通知する。その際、ディーラは、ユーザから分割支払い代金の入金があったことを確認した上でユーザへパスワードを通知するのが好ましい。ユーザからの分割支払い代金の入金がなければ、ユーザへはパスワードを通知しない。これにより、ユーザから分割支払い代金を確実に回収し、代金未払いの状態で工作機械が使用される状況を回避することができる。なお、例えば、ユーザから分割代金の残債分について一括入金があった場合に使用可能期間を無期限に設定してパスワードを生成するようにしてもよい。
【００４１】
ステップＳ１０７では、ユーザは、ディーラから通知を受けたパスワードを、管理対象装置２のデコード手段１４に入力する。入力操作には、管理対象装置２に予め設けられたあるいは外付けで設けられたキーボードやマウスなどの入力装置（図示せず）を用いる。
【００４２】
次いで、ステップＳ１０８において、デコード手段１４は、入力されたパスワードを、パスワード生成に用いた所定のパスワード生成アルゴリズムに対応するデコードアルゴリズムに従ってデコードし、コードと使用可能期間情報と機種情報とを抽出する。
【００４３】
次いで、ステップＳ１０９において、照合手段１５は、デコード手段１４により抽出されたコードと記憶手段１３に記憶されたコードとを照合するとともに、デコード手段１４により抽出された機種情報と記憶手段１３に予め記憶されていた管理対象装置２の機種情報とを照合する。照合の結果、デコード手段１４により抽出されたコードと記憶手段１３に記憶されたコードとが一致しかつデコード手段１４により抽出された機種情報と記憶手段１３に予め記憶されていた管理対象装置２の機種情報とが一致すると判定された場合にはステップＳ１１０へ進み、コードもしくは機種情報の少なくとも１つが一致しないと判定された場合にはステップＳ１１２へ進む。
【００４４】
ステップＳ１１０では、動作許可手段１６は、管理対象装置２の動作を、使用可能期間情報に規定された使用可能期間だけ許可する動作許可指令を、管理対象装置２の動作を制御する制御部（数値制御部ＮＣ）へ発する。これを受けて管理対象装置２は使用可能期間だけ動作をすることになる。
【００４５】
また、ステップＳ１１１では、動作許可手段１６は、記憶手段１３に対してコード削除指令を発して記憶手段１３に記憶されたコードを消去する。
【００４６】
なお、ステップＳ１１０とステップＳ１１１の処理は順番を入れ替えて実行してもよい。
【００４７】
一方、ステップＳ１１２では、動作許可手段１６は、管理対象装置２の動作を禁止する動作禁止指令を、管理対象装置２の動作を制御する制御部（数値制御部ＮＣ）へ発する。このとき、記憶手段１３に記憶されたコードの消去は行われない。これにより、管理対象装置２は、現時点の使用可能期間経過後は、動作をすることができなくなる。
【００４８】
なお、予め管理対象装置２側にオプション機能を実現するオプションプログラムを記憶させておき、所定のオプションプログラムによって実行される管理対象装置２の動作を使用可能期間中は許可するように、使用可能期間の設定に加えて、支払い金額やユーザが希望するオプション機能（オプションプログラム）に応じて、オプション機能を追加で利用可能としたり、逆に機能を制限するようなパスワードを生成するようにしてもよい。
【産業上の利用可能性】
【００４９】
本発明は、分割支払い代金の支払いに応じて発行される使用期限付きのパスワードを用いて工作機械の使用可能期間を管理する実行規制システムに適用することができる。
【符号の説明】
【００５０】
１    実行規制システム
２    管理対象装置
３    パソコン
１１    乱数生成手段
１２    コード生成手段
１３    記憶手段
１４    デコード手段
１５    照合手段
１６    動作許可手段
１７    ディスプレイ手段
２１    パスワード生成手段
【図１】
2014078201.tif 000003
【図２】
2014078201.tif 000004
【図３】
2014078201.tif 000005